【手続補正書】
【提出日】平成17年5月30日(2005.5.30)
【手続補正１】
【補正対象書類名】明細書
【補正対象項目名】請求項１
【補正方法】変更
【補正の内容】
【請求項１】
複数の給紙部のそれぞれに相異なる種類の印刷用紙を格納してなり、前記複数の給紙部から印刷用紙を供給して印刷データの表現する印刷像の印刷を行なう印刷機と、前記印刷機に前記印刷データを供給するコントローラと、からなる印刷システムであって、
前記コントローラが、
前記複数の給紙部を識別するための識別情報をそれぞれの給紙部について設定する給紙部識別情報設定手段と、
前記印刷データの表現する印刷像の印刷に用いる印刷用紙を供給する給紙部を前記複数の給紙部の中から指定する給紙部指定手段と、
前記印刷データの表現する印刷像のプレビュー画像を作成するプレビュー画像作成手段と、
前記印刷像のプレビュー画像を表示するプレビュー画像表示手段と、
を有し、
前記プレビュー画像作成手段が、前記印刷データの表現する印刷像の印刷に用いる印刷用紙の供給元として指定された給紙部について給紙部識別情報設定手段により設定された識別情報を使用して前記プレビュー画像を作成し、前記プレビュー画像表示手段に表示させること、を特徴とする印刷システム。
【手続補正２】
【補正対象書類名】明細書
【補正対象項目名】請求項２
【補正方法】変更
【補正の内容】
【請求項２】
前記印刷システムにおいて、前記コントローラが、印刷物に挿入する合紙の挿入位置を指定する合紙挿入位置指定手段と、前記合紙を供給する合紙給紙部を前記複数の給紙部の中から指定する合紙給紙部指定手段と、
を有し、
前記プレビュー画像作成手段が、前記合紙給紙部について給紙部識別情報設定手段により設定された前記識別情報を使用して、前記挿入位置に合紙が挿入された状態の表現を含んだプレビュー画像を作成し、前記プレビュー画像表示手段に表示させること、を特徴とする請求項１に記載の印刷システム。
【手続補正３】
【補正対象書類名】明細書
【補正対象項目名】請求項７
【補正方法】変更
【補正の内容】
【請求項７】
複数の給紙部のそれぞれに相異なる種類の印刷用紙を格納してなり、前記複数の給紙部から印刷用紙を供給して印刷データの表現する印刷像の印刷を行なう印刷機、を備える印刷システムに備わり、前記印刷機に前記印刷データを供給するコントローラであって、
前記複数の給紙部を識別するための識別情報をそれぞれの給紙部について設定する給紙部識別情報設定手段と、
前記印刷データの表現する印刷像の印刷に用いる印刷用紙を供給する給紙部を前記複数の給紙部の中から指定する給紙部指定手段と、
前記印刷データの表現する印刷像のプレビュー画像を作成するプレビュー画像作成手段と、
前記印刷像のプレビュー画像を表示するプレビュー画像表示手段と、
を有し、
前記プレビュー画像作成手段が、前記印刷データの表現する印刷像の印刷に用いる印刷用紙の供給元として指定された給紙部について給紙部識別情報設定手段により設定された識別情報を使用して前記プレビュー画像を作成し、前記プレビュー画像表示手段に表示させること、を特徴とする印刷システムのコントローラ。
【手続補正４】
【補正対象書類名】明細書
【補正対象項目名】請求項８
【補正方法】変更
【補正の内容】
【請求項８】
前記印刷システムのコントローラが、印刷物に挿入する合紙の挿入位置を指定する合紙挿入位置指定手段と、前記合紙を供給する合紙給紙部を前記複数の給紙部の中から指定する合紙給紙部指定手段と、
を有し、
前記プレビュー画像作成手段が、前記合紙給紙部について給紙部識別情報設定手段により設定された前記識別情報を使用して、前記挿入位置に合紙が挿入された状態の表現を含んだプレビュー画像を作成し、前記プレビュー画像表示手段に表示させること、を特徴とする請求項７に記載の印刷システムのコントローラ。
【手続補正５】
【補正対象書類名】明細書
【補正対象項目名】請求項９
【補正方法】変更
【補正の内容】
【請求項９】
複数の給紙部のそれぞれに相異なる種類の印刷用紙を格納してなり、前記複数の給紙部から印刷用紙を供給して印刷データの表現する印刷像の印刷を行なう印刷機と、前記印刷機に前記印刷データを供給するコントローラと、からなる印刷システムにおける印刷像のプレビュー方法であって、
前記複数の給紙部を識別するための識別情報をそれぞれの給紙部について設定する給紙部識別情報設定工程と、
前記印刷データの表現する印刷像の印刷に用いる印刷用紙を供給する給紙部を前記複数の給紙部の中から指定する給紙部指定工程と、
前記印刷データの表現する印刷像のプレビュー画像を作成するプレビュー画像作成工程と、
前記印刷像のプレビュー画像を前記コントローラに備えられた表示部で表示するプレビュー表示工程と、
を有し、
前記プレビュー画像作成工程においては、前記印刷データの表現する印刷像の印刷に用いる印刷用紙の供給元として指定された給紙部について給紙部識別情報設定工程において設定された識別情報を使用して前記プレビュー画像を作成すること、を特徴とする印刷システムにおける印刷像のプレビュー方法。
【手続補正６】
【補正対象書類名】明細書
【補正対象項目名】請求項１０
【補正方法】変更
【補正の内容】
【請求項１０】
複数の給紙部のそれぞれに相異なる種類の印刷用紙を格納してなり、前記複数の給紙部から印刷用紙を供給して印刷データの表現する印刷像の印刷を行なう印刷機と、前記印刷機に前記印刷データを供給するコントローラと、からなる印刷システムにおける印刷像のプレビュー方法であって、
前記複数の給紙部を識別するための識別情報をそれぞれの給紙部について設定する給紙部識別情報設定工程と、
前記印刷データの表現する印刷像の印刷に用いる印刷用紙を供給する給紙部を前記複数の給紙部の中から指定する給紙部指定工程と、
印刷物に挿入する合紙の挿入位置を指定する合紙挿入位置指定工程と、
前記合紙を供給する合紙給紙部を前記複数の給紙部の中から指定する合紙給紙部指定工程と、
前記印刷データの表現する印刷像のプレビュー画像を作成するプレビュー画像作成工程と、
前記印刷像のプレビュー画像を前記コントローラに備えられた表示部で表示するプレビュー表示工程と、
を有し、
前記プレビュー画像作成工程においては、前記合紙給紙部について給紙部識別情報設定工程により設定された前記識別情報を使用して、前記合紙挿入位置指定工程で指定した前記挿入位置に合紙が挿入された状態の表現を含んだプレビュー画像を作成すること、を特徴とする印刷システムにおける印刷像のプレビュー方法。
【手続補正７】
【補正対象書類名】明細書
【補正対象項目名】請求項１１
【補正方法】変更
【補正の内容】
【請求項１１】
コンピュータにおいて実行されることにより、請求項７または請求項８に記載の印刷システムのコントローラを前記コンピュータで実現するためのプログラムを記録したコンピュータ読取り可能な記録媒体。
【手続補正８】
【補正対象書類名】明細書
【補正対象項目名】請求項１２
【補正方法】変更
【補正の内容】
【請求項１２】
コンピュータにおいて実行されることにより、請求項７または請求項８に記載の印刷システムのコントローラを前記コンピュータで実現するためのプログラム。
【手続補正９】
【補正対象書類名】明細書
【補正対象項目名】０００８
【補正方法】変更
【補正の内容】
【０００８】
【課題を解決するための手段】
かかる課題を解決するために、請求項１に係る発明は、複数の給紙部のそれぞれに相異なる種類の印刷用紙を格納してなり、前記複数の給紙部から印刷用紙を供給して印刷データの表現する印刷像の印刷を行なう印刷機と、前記印刷機に前記印刷データを供給するコントローラと、からなる印刷システムであって、前記コントローラが、前記複数の給紙部を識別するための識別情報をそれぞれの給紙部について設定する給紙部識別情報設定手段と、前記印刷データの表現する印刷像の印刷に用いる印刷用紙を供給する給紙部を前記複数の給紙部の中から指定する給紙部指定手段と、前記印刷データの表現する印刷像のプレビュー画像を作成するプレビュー画像作成手段と、前記印刷像のプレビュー画像を表示するプレビュー画像表示手段と、を有し、前記プレビュー画像作成手段が、前記印刷データの表現する印刷像の印刷に用いる印刷用紙の供給元として指定された給紙部について給紙部識別情報設定手段により設定された識別情報を使用して前記プレビュー画像を作成し、前記プレビュー画像表示手段に表示させること、を特徴としている。
【手続補正１０】
【補正対象書類名】明細書
【補正対象項目名】００１０
【補正方法】変更
【補正の内容】
【００１０】
請求項２に係わる発明は、請求項１に記載の印刷システムであって、前記印刷システムにおいて、前記コントローラが、印刷物に挿入する合紙の挿入位置を指定する合紙挿入位置指定手段と、前記合紙を供給する合紙給紙部を前記複数の給紙部の中から指定する合紙給紙部指定手段と、を有し、前記プレビュー画像作成手段が、前記合紙給紙部について給紙部識別情報設定手段により設定された前記識別情報を使用して、前記挿入位置に合紙が挿入された状態の表現を含んだプレビュー画像を作成し、前記プレビュー画像表示手段に表示させること、を特徴としている。
【手続補正１１】
【補正対象書類名】明細書
【補正対象項目名】００２０
【補正方法】変更
【補正の内容】
【００２０】
加えて請求項７に係る発明では、複数の給紙部のそれぞれに相異なる種類の印刷用紙を格納してなり、前記複数の給紙部から印刷用紙を供給して印刷データの表現する印刷像の印刷を行なう印刷機、を備える印刷システムに備わり、前記印刷機に前記印刷データを供給するコントローラであって、前記複数の給紙部を識別するための識別情報をそれぞれの給紙部について設定する給紙部識別情報設定手段と、前記印刷データの表現する印刷像の印刷に用いる印刷用紙を供給する給紙部を前記複数の給紙部の中から指定する給紙部指定手段と、前記印刷データの表現する印刷像のプレビュー画像を作成するプレビュー画像作成手段と、前記印刷像のプレビュー画像を表示するプレビュー画像表示手段と、を有し、前記プレビュー画像作成手段が、前記印刷データの表現する印刷像の印刷に用いる印刷用紙の供給元として指定された給紙部について給紙部識別情報設定手段により設定された識別情報を使用して前記プレビュー画像を作成し、前記プレビュー画像表示手段に表示させること、を特徴としている。
【手続補正１２】
【補正対象書類名】明細書
【補正対象項目名】００２２
【補正方法】変更
【補正の内容】
【００２２】
請求項８に係わる発明は、請求項７に記載の印刷システムのコントローラであって、印刷物に挿入する合紙の挿入位置を指定する合紙挿入位置指定手段と、前記合紙を供給する合紙給紙部を前記複数の給紙部の中から指定する合紙給紙部指定手段と、を有し、前記プレビュー画像作成手段が、前記合紙給紙部について給紙部識別情報設定手段により設定された前記識別情報を使用して、前記挿入位置に合紙が挿入された状態の表現を含んだプレビュー画像を作成し、前記プレビュー画像表示手段に表示させること、を特徴としている。
【手続補正１３】
【補正対象書類名】明細書
【補正対象項目名】００２４
【補正方法】変更
【補正の内容】
【００２４】
また、請求項９に係わる発明は、複数の給紙部のそれぞれに相異なる種類の印刷用紙を格納してなり、前記複数の給紙部から印刷用紙を供給して印刷データの表現する印刷像の印刷を行なう印刷機と、前記印刷機に前記印刷データを供給するコントローラと、からなる印刷システムにおける印刷像のプレビュー方法であって、前記複数の給紙部を識別するための識別情報をそれぞれの給紙部について設定する給紙部識別情報設定工程と、前記印刷データの表現する印刷像の印刷に用いる印刷用紙を供給する給紙部を前記複数の給紙部の中から指定する給紙部指定工程と、前記印刷データの表現する印刷像のプレビュー画像を作成するプレビュー画像作成工程と、前記印刷像のプレビュー画像を前記コントローラに備えられた表示部で表示するプレビュー表示工程と、を有し、前記プレビュー画像作成工程においては、前記印刷データの表現する印刷像の印刷に用いる印刷用紙の供給元として指定された給紙部について給紙部識別情報設定工程において設定された識別情報を使用して前記プレビュー画像を作成すること、を特徴としている。
【手続補正１４】
【補正対象書類名】明細書
【補正対象項目名】００２６
【補正方法】変更
【補正の内容】
【００２６】
請求項１０に係わる発明は、複数の給紙部のそれぞれに相異なる種類の印刷用紙を格納してなり、前記複数の給紙部から印刷用紙を供給して印刷データの表現する印刷像の印刷を行なう印刷機と、前記印刷機に前記印刷データを供給するコントローラと、からなる印刷システムにおける印刷像のプレビュー方法であって、前記複数の給紙部を識別するための識別情報をそれぞれの給紙部について設定する給紙部識別情報設定工程と、前記印刷データの表現する印刷像の印刷に用いる印刷用紙を供給する給紙部を前記複数の給紙部の中から指定する給紙部指定工程と、印刷物に挿入する合紙の挿入位置を指定する合紙挿入位置指定工程と、前記合紙を供給する合紙給紙部を前記複数の給紙部の中から指定する合紙給紙部指定工程と、前記印刷データの表現する印刷像のプレビュー画像を作成するプレビュー画像作成工程と、前記印刷像のプレビュー画像を前記コントローラに備えられた表示部で表示するプレビュー表示工程と、を有し、前記プレビュー画像作成工程においては、前記合紙給紙部について給紙部識別情報設定工程により設定された前記識別情報を使用して、前記合紙挿入位置指定工程で指定した前記挿入位置に合紙が挿入された状態の表現を含んだプレビュー画像を作成すること、を特徴としている。
【手続補正１５】
【補正対象書類名】明細書
【補正対象項目名】００２８
【補正方法】変更
【補正の内容】
【００２８】
さらに請求項１１に係わる発明は、コンピュータにおいて実行されることにより、請求項７または請求項８に記載の印刷システムのコントローラを前記コンピュータで実現するためのプログラムを記録していることを特徴とする。
【手続補正１６】
【補正対象書類名】明細書
【補正対象項目名】００３０
【補正方法】変更
【補正の内容】
【００３０】
加えて請求項１２に係わる発明は、コンピュータにおいて実行されることにより、請求項７または請求項８に記載の印刷システムのコントローラを前記コンピュータで実現するためのプログラムである。